(57)【要約】      （修正有）【課題】一般の低周波電気刺激装置よりもパワーが低い中低周波を出力して、人体の敏感部位の刺激を達成する、中低周波電気刺激の経皮電気刺激装置を提供する。【解決手段】中低周波電気刺激の装置であり、本体中に設置された制御機構を包含し、該制御機構は電源部に接続されてこの装置の操作制御及び中低周波電気刺激を発生する機能を実行するＣＰＵ、該ＣＰＵを駆動して必要な動作を実行させる振動ユニット、ＣＰＵと接続されてこの装置の状態を表示する表示ユニット、ＣＰＵと接続されて必要な中低周波電気刺激出力方式の設定入力に供される制御ユニット、ＣＰＵ及び導電ゴム或いは導電材料に接続されて制御ユニットの設定を受け取り、必要な中低周波を導電ゴム或いは導電材料に出力する出力ユニット、ＣＰＵと接続されて保護回路とされるリセットユニット、を包含する。【選択図】図１
0003115085.tif 000002
【実用新案登録請求の範囲】
【請求項１】
中低周波電気刺激の経皮電気刺激装置において、
本体と該本体中に設置される制御機構とを包含し、
該制御機構は、
ＣＰＵであって、電源部に接続されて、この経皮電気刺激装置の操作制御と中低周波電気刺激の発生の機能を実行する、上記ＣＰＵと、
振動ユニットであって、上述のＣＰＵに接続されて、ＣＰＵを駆動して必要な動作を行わせる、上記振動ユニットと、
表示ユニットであって、上述のＣＰＵに接続されて、該経皮電気刺激装置の状態を表示し、
制御ユニットであって、上述のＣＰＵに接続され、必要な中低周波電気刺激出力方式の設定入力に用いられる、上記制御ユニットと、
出力ユニットであって、上述のＣＰＵに接続され、且つ上述の本体外部に設置された導電ゴム或いは導電材料に接続されて、上述の制御ユニットの設定を受け取り、必要な中低周波を導電ゴム或いは導電材料に出力する、上記出力ユニットと、
リセットユニットであって、上述のＣＰＵに接続されて、保護回路とされる、上記リセットユニットと、
を包含したことを特徴とする、経皮電気刺激装置。
【請求項２】
請求項１記載の経皮電気刺激装置において、本体が環状体とされたことを特徴とする、経皮電気刺激装置。
【請求項３】
請求項１記載の経皮電気刺激装置において、本体が柱状体とされたことを特徴とする、経皮電気刺激装置。
【請求項４】
請求項１記載の経皮電気刺激装置において、本体が楕円体とされたことを特徴とする、経皮電気刺激装置。
【考案の詳細な説明】
【技術分野】
【０００１】
本考案は一種の中低周波電気刺激を形成する経皮電気刺激装置であり、特にパワーが低い中低周波を出力して人体の敏感部位に対する刺激機能を達成する、経皮電気刺激装置に関する。
【背景技術】
【０００２】
特許文献１には胸部按摩用の低周波電気刺激装置が記載され、その特徴は、一組或いは一組以上のプラス、マイナス電極が並列或いは直列に導電膜片或いは銅箔板或いは導電ゴム材料において組み合わされて電気刺激片が形成され、且つこの一組或いは一組以上のプラス、マイナス電極が人体胸部のツボに対応するよう分布している。
【０００３】
しかし、上述の周知の胸部按摩用の低周波電気刺激装置は、人体胸部のツボに電気刺激片を貼り付けてツボに対する低周波刺激の効果を達成するが、この装置は一般の伝統的な低周波電気刺激回路とされ、ゆえに該装置の発生する低周波電気刺激パワーは比較的高く、このため使用者がその電気刺激片を胸部或いは人体の敏感な部位に運用する時、パワーが高いために使用上の不適感をもたらす場合がある。ゆえに一般に周知の低周波電気刺激回路は実際の使用時の必要に符合しない。
【０００４】
【特許文献１】台湾特許公告第５８０３８３号明細書
【考案の開示】
【考案が解決しようとする課題】
【０００５】
本考案の主要な目的は、一般の低周波電気刺激装置よりもパワーが低い中低周波を出力して、人体の敏感部位の刺激を達成する、中低周波電気刺激の経皮電気刺激装置を提供することにある。
【０００６】
上述の目的を達成するため、本考案の経皮電気刺激装置は、中低周波電気刺激の装置とされて、該装置は、本体中に設置された制御機構を包含し、該制御機構は、電源部に接続されてこの装置の操作制御及び中低周波電気刺激を発生する機能を実行するＣＰＵ、該ＣＰＵを駆動して必要な動作を実行させる振動ユニット、ＣＰＵと接続されてこの装置の状態を表示する表示ユニット、ＣＰＵと接続されて必要な中低周波電気刺激出力方式の設定入力に供される制御ユニット、ＣＰＵ及び導電ゴム或いは導電材料に接続されて制御ユニットの設定を受け取り、必要な中低周波を導電ゴム或いは導電材料に出力する出力ユニット、ＣＰＵと接続されて保護回路とされるリセットユニット、を包含する。
【課題を解決するための手段】
【０００７】
請求項１の考案は、中低周波電気刺激の経皮電気刺激装置において、
本体と該本体中に設置される制御機構とを包含し、
該制御機構は、
ＣＰＵであって、電源部に接続されて、この経皮電気刺激装置の操作制御と中低周波電気刺激の発生の機能を実行する、上記ＣＰＵと、
振動ユニットであって、上述のＣＰＵに接続されて、ＣＰＵを駆動して必要な動作を行わせる、上記振動ユニットと、
表示ユニットであって、上述のＣＰＵに接続されて、該経皮電気刺激装置の状態を表示し、
制御ユニットであって、上述のＣＰＵに接続され、必要な中低周波電気刺激出力方式の設定入力に用いられる、上記制御ユニットと、
出力ユニットであって、上述のＣＰＵに接続され、且つ上述の本体外部に設置された導電ゴム或いは導電材料に接続されて、上述の制御ユニットの設定を受け取り、必要な中低周波を導電ゴム或いは導電材料に出力する、上記出力ユニットと、
リセットユニットであって、上述のＣＰＵに接続されて、保護回路とされる、上記リセットユニットと、
を包含したことを特徴とする、経皮電気刺激装置としている。
請求項２の考案は、請求項１記載の経皮電気刺激装置において、本体が環状体とされたことを特徴とする、経皮電気刺激装置としている。
請求項３の考案は、請求項１記載の経皮電気刺激装置において、本体が柱状体とされたことを特徴とする、経皮電気刺激装置としている。
請求項４の考案は、請求項１記載の経皮電気刺激装置において、本体が楕円体とされたことを特徴とする、経皮電気刺激装置としている。
【考案の効果】
【０００８】
本考案の中低周波電気刺激の経皮電気刺激装置は、一般の低周波電気刺激装置よりもパワーが低い中低周波を出力して、人体の敏感部位の刺激を達成し、これにより本考案は進歩性、実用性を具備し、使用者の必要に符合する。
【考案を実施するための最良の形態】
【０００９】
図１は本考案の基本構造表示図である。図示されるように、本考案は一種の中低周波電気刺激の経皮電気刺激装置であり、本体と制御機構７で構成され、該制御機構７は少なくとも、ＣＰＵ１、振動ユニット２、表示ユニット３、制御ユニット４、出力ユニット５、及びリセットユニット６を包含し、一般の低周波電気刺激装置よりパワーが低い中低周波を出力可能で、人体の敏感部位に対する刺激の機能を達成する。
【００１０】
上述の制御機構７中のＣＰＵ１は、電源部１１に接続されて、該装置の操作制御と中低周波電気刺激の発生の機能を実行し、且つ該ＣＰＵ１は実際の使用時の必要により必要な操作制御及び中低周波電気刺激発生実行の方式を自己コーディングできる。
【００１１】
該振動ユニット２は上述のＣＰＵ１に接続されて、ＣＰＵ１を駆動して必要な動作を行わせる。
【００１２】
該表示ユニット３は上述のＣＰＵ１に接続されて、該装置の状態を表示し、該表示ユニット３はディスプレイ、発声装置或いは発光ダイオードのいずれかとされ得て、且つ該表示ユニット３はまた、ディスプレイ、発声装置及び発光ダイオードで構成されたものとされうる。
【００１３】
該制御ユニット４は、上述のＣＰＵ１に接続され、必要な中低周波電気刺激出力方式の設定入力に用いられ、且つ該制御ユニット４はキー部４１に接続されている。
【００１４】
該出力ユニット５は、上述のＣＰＵ１に接続され、且つ導電ゴム或いは導電材料５１に接続されて、上述の制御ユニット４の設定を受け取り、必要な中低周波を導電ゴム或いは導電材料５１に出力し、且つ該出力ユニット５はプラス、マイナス極出力端を具え、導電ゴム或いは導電材料５１をプラス、マイナス極に規定する。
【００１５】
該リセットユニット６は上述のＣＰＵ１に接続されて、保護回路とされ、装置が停止した時に該リセットユニット６により回路を回復させられる。
【００１６】
以上により新規な中低周波電気刺激の経皮電気刺激装置が構成される。
【００１７】
図２から図７を参照されたい。本考案を実際に使用する時、制御機構７は本体に組み合わされて使用され、該本体は異なる形状に設置可能であり、例えば柱状マッサージ器本体８（図５）とされるか、リング形マッサージ器本体８ａ（図６）とされるか、或いは楕円形マッサージ器本体８ｂ（図７）とされ、並びに該導電ゴム或いは導電材料５１が各マッサージ器本体８、８ａ、８ｂの外部を被覆し、並びに実際の使用情況の必要により、図３或いは図４の電気回路が形成される。使用時に、該制御ユニット４のキー部４１により必要な中低周波電気刺激出力方式を設定入力し、異なる周波数の変化及び組合せにより、持続性、間欠性、或いは両者が相互に組み合わされた中低周波電気刺激を発生し、且つ設定されたモジュールを表示ユニット３により表示し、設定完成の後に使用者の必要に応じて使用可能である。使用時に使用者がその皮膚に出力ユニット５の導電ゴム或いは導電材料５１を接触させると、回路が形成され、並びにこの回路信号がＣＰＵ１に伝送され、該ＣＰＵ１が制御ユニット４の設定したモジュールにより、並びに振動ユニット２の駆動により中低周波電気刺激を釈放し、並びにこの中低周波を出力ユニット５の導電ゴム或いは導電材料５１に伝送し、使用者の皮膚にプラス、マイナス極の導電ゴム或いは導電材料５１通電を形成して電気刺激効果を達成し、快適な触感を発生させる。
【００１８】
以上の実施例は本考案の実施範囲を限定するものではなく、以上の実施例の説明及び図面の記載に基づきなしうる細部の修飾は、いずれも本考案の実用新案登録請求の範囲に属するものとする。
【図面の簡単な説明】
【００１９】
【図１】本考案の基本構造表示図である。
【図２】本考案の使用状態フロー表示図である。
【図３】本考案の実施回路表示図である。
【図４】本考案の別の実施回路表示図である。
【図５】本考案の第１使用状態表示図である。
【図６】本考案の第２使用状態表示図である。
【図７】本考案の第３使用状態表示図である。
【符号の説明】
【００２０】
１  ＣＰＵ
１１  電源部
２  振動ユニット
３  表示ユニット
４  制御ユニット
４１  キー部
５  出力ユニット
５１  導電ゴム或いは導電材料
６  リセットユニット
７  制御機構
８  マッサージ器本体
８ａ  マッサージ器本体
８ｂ  マッサージ器本体
【図１】
0003115085.tif 000003
【図２】
0003115085.tif 000004
【図３】
0003115085.tif 000005
【図４】
0003115085.tif 000006
【図５】
0003115085.tif 000007
【図６】
0003115085.tif 000008
【図７】
0003115085.tif 000009